(57)【要約】【課題】ひび割れを的確に封止でき、ひび割れから充填剤が漏れ出てしまうことを防止できる。【解決手段】既設のコンクリート構造体１０に穿設された竪穴１１には、カメラ２と流体噴射ノズル４とが長尺部材３に吊り下げられた状態で配置されている。該カメラ２によってひび割れ１１ｂを発見した場合には長尺部材３を所定量だけ引っ張り上げて前記流体噴射ノズル４を該ひび割れ１１ｂに対向させ、該ノズル４から粘性流体Ａを噴射させる。これにより、該ひび割れ１１ｂは封止される。該竪穴１１に充填剤（不図示）を注入したとしても、該充填剤がひび割れ１１ｂから漏れ出ることを防止できる。【選択図】図１
2014152464.tif 000002
【特許請求の範囲】
【請求項１】
カメラと、
該カメラに取り付けられて該カメラを吊り下げ支持できるように構成された長尺部材と、
該カメラよりも下方の位置に吊り下げ支持されて粘性流体を略水平方向に噴射するように構成された流体噴射ノズルと、
を備えたことを特徴とする流体噴射装置。
【請求項２】
前記長尺部材は、管状の部材であって、前記流体噴射ノズルに接続されていて該流体噴射ノズルに粘性流体を供給するように構成された、
ことを特徴とする請求項１に記載の流体噴射装置。
【請求項３】
竪穴の内壁面に生じたひび割れを粘性流体で封止するひび割れ封止方法において、
長尺部材により吊り下げ支持された状態のカメラと、該カメラよりも下方の位置に吊り下げ支持されてなる流体噴射ノズルと、を前記竪穴に挿入し、漸次降ろしていく工程と、
前記カメラにより前記竪穴の内壁面を観察することによりひび割れを発見する工程と、
ひび割れを発見した場合に前記長尺部材を所定量だけ引き上げて前記流体噴射ノズルを該ひび割れに対向するように配置させる工程と、
該流体噴射ノズルから前記ひび割れに向けて粘性流体を噴射させて該ひび割れを封止する工程と、
を備えたことを特徴とするひび割れ封止方法。
【請求項４】
既設のコンクリート構造体を補強する、コンクリート構造体の補強方法において、
該既設のコンクリート構造体に竪穴を穿設する工程と、
該竪穴の内壁面に生じたひび割れを、請求項３に記載のひび割れ封止方法によって封止する工程と、
前記コンクリート構造体を補強するための補強材を前記竪穴に挿入する工程と、
硬化型の充填剤を前記竪穴に注入して前記補強材を埋設する工程と、
を備えたことを特徴とする、コンクリート構造体の補強方法。
【発明の詳細な説明】
【技術分野】
【０００１】
本発明は、粘性流体を噴射するための流体噴射装置、竪穴内のひび割れを粘性流体により封止するひび割れ封止方法、及び、該ひび割れ封止方法を使って既設のコンクリート構造体を補強するコンクリート構造体の補強方法に関する。
【背景技術】
【０００２】
阪神・淡路大震災以降、既設のコンクリート構造体（例えば、橋脚）の耐震性を強化するために種々の装置や補強方法が提案されている（例えば、特許文献１及び２参照）。
【０００３】
図３(a) 〜(e) は、既設コンクリート構造体の補強方法の一例を示す断面図である。同図(a) は、コンクリート構造体１０に竪穴を穿設する様子を示しており、符号２０は、該竪穴を穿設するための穿孔装置を示す。また、同図(b)
は、コンクリート構造体１０を補強するための補強材２１を竪穴１１に挿入する様子を示しており、符号２２は、該補強材２１の下端部を固定するために竪穴１１の底部にモルタルを注入するモルタル注入装置を示す。さらに、同図(c)
は、補強材２１を緊張する様子を示しており、符号２３は、補強材２１を緊張するための緊張装置を示す。またさらに、同図(d) は、硬化型の充填剤２４を前記竪穴１１に注入して前記補強材２１を埋設する様子を示しており、符号２５は、該充填剤２４を注入する充填剤注入装置を示す。また、同図(e)
は、補強材２１の埋設が完了した状態を示している。
【先行技術文献】
【特許文献】
【０００４】
【特許文献１】特開２０１１−８０２３９号公報
【特許文献２】特開２００７−２３９４４０号公報
【発明の概要】
【発明が解決しようとする課題】
【０００５】
しかしながら、穿設した穴１１の内壁面にひび割れがあると、注入した充填剤２４が該ひび割れから漏れ出てしまうという問題があった。
【０００６】
本発明は、上述の問題を解消することのできる流体噴射装置、ひび割れ封止方法、及びコンクリート構造体の補強方法を提供することを目的とするものである。
【課題を解決するための手段】
【０００７】
請求項１に係る発明は、図１に例示するものであって、カメラ（２）と、
該カメラ（２）に取り付けられて該カメラ（２）を吊り下げ支持できるように構成された長尺部材（３）と、
該カメラ（２）よりも下方の位置に吊り下げ支持されて粘性流体（Ａ）を略水平方向に噴射するように構成された流体噴射ノズル（４）と、を備えた流体噴射装置（１）に関する。
【０００８】
請求項２に係る発明は、請求項１に係る発明において、前記長尺部材（３）が、管状の部材であって、前記流体噴射ノズル（４）に接続されていて該流体噴射ノズル（４）に粘性流体（Ａ）を供給するように構成されたことを特徴とする。
【０００９】
請求項３に係る発明は、竪穴（１１）の内壁面（１１ａ）に生じたひび割れ（１１ｂ）を粘性流体（Ａ）で封止するひび割れ封止方法において、
長尺部材（３）により吊り下げ支持された状態のカメラ（２）と、該カメラ（２）よりも下方の位置に吊り下げ支持されてなる流体噴射ノズル（４）と、を前記竪穴（１１）に挿入し、漸次降ろしていく工程（矢印Ｂ１参照）と、
前記カメラ（２）により前記竪穴（１１）の内壁面（１１ａ）を観察することによりひび割れ（１１ｂ）を発見する工程と、
ひび割れ（１１ｂ）を発見した場合に前記長尺部材（３）を所定量だけ引き上げて前記流体噴射ノズル（４）を該ひび割れ（１１ｂ）に対向するように配置させる工程と、
該流体噴射ノズル（４）から前記ひび割れ（１１ｂ）に向けて粘性流体（Ａ）を噴射させて該ひび割れ（１１ｂ）を封止する工程と、を備えたことを特徴とする。
【００１０】
請求項４に係る発明は、既設のコンクリート構造体（１０）を補強する、コンクリート構造体（１０）の補強方法において、
該既設のコンクリート構造体（１０）に竪穴（１１）を穿設する工程（図２のＳ１参照）と、
該竪穴（１１）の内壁面（１１ａ）に生じたひび割れ（１１ｂ）を、請求項３に記載のひび割れ封止方法によって封止する工程（図２のＳ２参照）と、
前記コンクリート構造体（１０）を補強するための補強材（２１）を前記竪穴（１１）に挿入する工程（図２のＳ３参照）と、
硬化型の充填剤（２４）を前記竪穴（１１）に注入して前記補強材（２１）を埋設する工程（図２のＳ４参照）と、を備えたことを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１乃至４に係る発明によれば、前記竪穴に注入した充填剤がひび割れから漏れ出てしまうことを回避できる。また、作業者が入ることが出来ないような小径の竪穴であっても、前記カメラによりひび割れの発生箇所を知ることができ、粘性流体によって適確に該ひび割れを封止することが出来る。さらに、前記流体噴射ノズルは前記カメラよりも下方の位置に配置されているので、該流体噴射ノズルから噴射された粘性流体が前記カメラに付着するおそれを低減することができる。
【図面の簡単な説明】
【００１３】
【図１】図１は、本発明に係る流体噴射装置の構成の一例を示す断面図である。
【図２】図２は、本発明に係るコンクリート構造体の補強方法の一例を示すフローチャート図である。
【図３】図３は、既設のコンクリート構造体の補強方法の一例を示す断面図である。
【発明を実施するための形態】
【００１４】
以下、図１及び図２に沿って、本発明の実施の形態について説明する。
【００１５】
本発明に係る流体噴射装置は、図１に符号１で例示するものであって、
・  カメラ２と、
・  該カメラ２を吊り下げ支持できるように該カメラ２に連結された長尺部材３と、
・  該カメラ２よりも下方の位置に吊り下げ支持されていて粘性流体（例えば、モルタルや樹脂やセメントペースト）Ａを略水平方向に噴射するように構成された流体噴射ノズル４と、
を備えている。
【００１６】
前記流体噴射装置１は、竪穴（既設のコンクリート構造体１０に略上下方向に穿設された穴）１１の内壁面１１ａに生じたひび割れ１１ｂを粘性流体Ａで封止するために使用することができる。次に、該ひび割れ１１ｂを粘性流体Ａで封止するひび割れ封止方法について説明する。本発明に係るひび割れ封止方法は、
・  前記カメラ２及び前記流体噴射ノズル４（つまり、長尺部材３により吊り下げ支持された状態のカメラ２と、該カメラ２よりも下方の位置に吊り下げ支持されてなる流体噴射ノズル４）を前記竪穴１１に挿入し、矢印Ｂ１で示すように漸次降ろしていく工程と、
・  前記カメラ２により前記竪穴１１の内壁面１１ａを観察することによりひび割れ１１ｂを発見する工程と、
・  ひび割れ１１ｂを発見した場合に前記長尺部材３を所定量だけ引き上げて（矢印Ｂ２参照）前記流体噴射ノズル４の噴射口４ａを該ひび割れ１１ｂに対向するように配置させる工程と、
・  該流体噴射ノズル４から前記ひび割れ１１ｂに向けて粘性流体Ａを噴射させて該ひび割れ１１ｂを封止する工程と、
により実施すると良い。なお、粘性流体Ａの噴射量は、該流体Ａが内壁面１１ａに薄い膜を張る程度の量にすると良い。また、前記カメラ２はいわゆるライブカメラとして使用し、前記竪穴１１の内壁面１１ａの観察をリアルタイムで行うようにすると良い。さらに、前記カメラ２により観察を行う場合や前記流体噴射ノズル４により粘性流体Ａの噴射を行う場合には前記長尺部材３の上方部分を図示の矢印Ｂ３のように捻ることによって該カメラ２や該流体噴射ノズル４の方向を変更するようにすると良い。
【００１７】
上述の流体噴射装置１を前記ひび割れ封止方法に使用すれば、前記竪穴１１に注入した充填剤（図３(d) の符号２４参照）がひび割れから漏れ出てしまうことを回避できる。また、作業者が入ることが出来ないような小径の竪穴であっても、前記カメラ２によりひび割れ１１ｂの発生箇所を知ることができ、粘性流体Ａによって適確に該ひび割れ１１ｂを封止することが出来る。さらに、前記流体噴射ノズル４は前記カメラ２よりも下方の位置に配置されているので、該流体噴射ノズル４から噴射された粘性流体Ａが前記カメラ２に付着するおそれを低減することができる。
【００１８】
ここで、前記カメラ２としては、ボアホールカメラに用いるカメラや全方位カメラやＷＥＢカメラ等を挙げることができる。
【００１９】
また、該カメラ２に連結される長尺部材３としては種々のものを挙げることができ、例えば、
・  前記流体噴射ノズル４に接続されていて該流体噴射ノズル４に粘性流体Ａを供給するように構成されてなる、可撓性又は非可撓性の管状の部材（つまり、ホースやパイプ）や、
・  管状でない部材（つまり、ケーブルやワイヤやロープなどの可撓性に富む索条体や、可撓性に富まない棒状体）や、
・  可撓性に富む部材（管状の部材や管状でない部材）と可撓性に富まない部材（管状の部材や管状でない部材）とを交互に連結したもの
などを挙げることができる。なお、前記長尺部材３に管状の部材を用いる場合は、該管状の長尺部材３を前記カメラ２だけでなく前記流体噴射ノズル４に連結して、該管状の長尺部材３を使って粘性流体を前記流体噴射ノズル４に供給するようにすると良い。また、前記長尺部材３に管状でない部材を用いる場合は、不図示のホースを前記流体噴射ノズル４に連結して粘性流体を供給するようにすると良い。
【００２０】
一方、前記流体噴射ノズル４は、その噴射口４ａが略水平の方向を向いているものであればどのような形状のものでも良い。また、図１に示す例では、カメラ２及び流体噴射ノズル４の両方が１本の共通の長尺部材３によって吊り下げ支持されているが、もちろんこれに限られるものではなく、前記カメラ２を吊り下げ支持する長尺部材と、前記流体噴射ノズル４を吊り下げ支持する長尺部材とを別の部材にして、該カメラ２及び該流体噴射ノズル４を一緒に上下させるのではなく別々に上下させるようにしても良い。
【００２１】
また一方、前記内壁面１１ａと前記カメラ２との離間距離や、前記内壁面１１ａと前記流体噴射ノズル４との離間距離を規定するスペーサ部５を設けておいて、該カメラ２や該流体噴射ノズル４が前記竪穴１１の中心軸線Ｃの近傍に位置するようにしておくと良い。なお、図１に示す例では、該スペーサ部５は前記長尺部材３に連結されているが、もちろんこれに限られるものではなく、前記カメラ２に連結しても良く、前記流体噴射ノズル４に連結しても良い。また、このスペーサ部５は、前記カメラ２や前記流体噴射ノズル４の水平位置を規定するように、前記竪穴１１の内壁面１１ａと少なくとも３点で接触するようにすると良い。さらに、図１では、スペーサ部５は上下に（つまり、異なる高さに）２つ設けられているが、もちろんこれに限られるものではなく、３つ以上設けても良く、１つだけ設けても良い。またさらに、該スペーサ部５は、前記流体噴射ノズル４から噴射される粘性流体Ａが付着しにくい位置であって、上下動されるカメラ２と干渉しない位置に配置されていると良い。
【００２２】
次に、本発明に係るコンクリート構造体の補強方法について説明する。
【００２３】
本発明に係るコンクリート構造体の補強方法は、既設のコンクリート構造体（例えば、橋脚）１０を補強する方法であって、
・  該既設のコンクリート構造体１０に竪穴１１を穿設する工程（図２のＳ１及び図３(a) 参照）と、
・  該竪穴１１の内壁面１１ａに生じたひび割れ１１ｂを、上述したひび割れ封止方法によって封止する工程（図２のＳ２及び図１参照）と、
・  前記コンクリート構造体１０を補強するための補強材２１を前記竪穴１１に挿入する工程（図２のＳ３及び図３(b) 参照）と、
・  硬化型の充填剤２４を前記竪穴１１に注入して前記補強材２１を埋設する工程（図２のＳ５及び図３(d) 参照）と、
を備えている。なお、図３(b) では補強材２１の下端部を固定し、図３(c) では該補強材２１を緊張しているが、本発明に係る方法（つまり、既設のコンクリート構造体を補強する方法）において前記補強材２１に緊張力を作用させるか否かは必須要件ではない。
【符号の説明】
【００２４】
１                  流体噴射装置
２                  カメラ
３                  長尺部材
４                  流体噴射ノズル
１０                コンクリート構造体
１１                竪穴
１１ａ              内壁面
１１ｂ              ひび割れ
２１                補強材
２４                充填剤
Ａ                  粘性流体
【図１】
2014152464.tif 000003
【図２】
2014152464.tif 000004
【図３】
2014152464.tif 000005